(57)【要約】    【課題】  騒音を自動的に取得することができる電子機器を提供する。    【解決手段】  ＤＶＣ１００は、ズーム動作を行うための変倍レンズ１０９と、変倍レンズ１０９を駆動するステッピングモータの駆動を制御するズーム制御部１１３と、測定用プログラムが記録されているメモリカードを脱着するためのカードスロット部１０６とを備える。ＤＶＣ１００は、レンズ音記録モードにおいて、変倍レンズ１０９及びズーム制御部１１３が測定用プログラムに従って動作している間に、変倍レンズ１０９及びそのステッピングモータのみの音声を取り込み、取り込んだ音声に対応する音声データから音声ファイルをメモリカードに自動的に記録する。【選択図】      図２
2007068130.tif 000002
【特許請求の範囲】
【請求項１】
アクチュエータによって駆動される少なくとも１つの所定の部品を備える電子機器において、音声を音声データとして取得する音声取得手段と、前記音声取得手段を介して取得した音声データから音声ファイルを作成する音声ファイル作成手段と、前記アクチュエータを所定のプログラムに従って作動させるアクチュエータ制御手段とを備え、前記音声ファイル作成手段は、前記アクチュエータが作動している間に前記音声ファイルを作成することを特徴とする電子機器。
【請求項２】
前記所定の部品とは異なる他の部品を備え、前記アクチュエータ制御手段は、前記所定の部品が駆動されている間において、前記他の部品の駆動を停止することを特徴とする請求項１記載の電子機器。
【請求項３】
前記他の部品は、記録時に騒音及び振動の少なくとも一方を発生する記録媒体から成ることを特徴とする請求項２記載の電子機器。
【請求項４】
前記音声ファイル作成手段は、前記所定の部品に対応するアクチュエータが作動している間に取得された音声データに基づいて、当該作動中のアクチュエータに対応する音声ファイルを作成することを特徴とする請求項１乃至３のいずれか１項に記載の電子機器。
【請求項５】
前記所定の部品は、ズームレンズ、絞り、及び焦点合わせレンズから成る群から選択された一の部品から成ることを特徴とする請求項１乃至４のいずれか１項に記載の電子機器。
【請求項６】
前記所定のプログラムの少なくとも一部を格納する脱着可能な記録媒体を備えることを特徴とする請求項１乃至５のいずれか１項に記載の電子機器。
【請求項７】
前記音声ファイルは非圧縮であることを特徴とする請求項１乃至６のいずれか１項に記載の電子機器。
【請求項８】
アクチュエータによって駆動される少なくとも１つの所定の部品を備える電子機器の制御方法において、音声を音声データとして取得する音声取得ステップと、前記音声取得ステップにおいて取得した音声データから音声ファイルを作成する音声ファイル作成ステップと、前記アクチュエータを所定のプログラムに従って作動させるアクチュエータ制御ステップとを有し、前記音声ファイル作成ステップでは、前記アクチュエータが作動している間に前記音声ファイルを作成することを特徴とする電子機器の制御方法。
【請求項９】
前記所定のプログラムの少なくとも一部を格納する記録媒体を装着する装着ステップを有することを特徴とする請求項８記載の電子機器の制御方法。
【請求項１０】
アクチュエータによって駆動される少なくとも１つの所定の部品を備える電子機器の制御方法をコンピュータに実行させる制御プログラムにおいて、音声を音声データとして取得する音声取得モジュールと、前記音声取得モジュールを介して取得した音声データから音声ファイルを作成する音声ファイル作成モジュールと、前記アクチュエータを所定のプログラムに従って作動させるアクチュエータ制御モジュールとを備え、前記音声ファイル作成モジュールは、前記アクチュエータが作動している間に前記音声ファイルを作成することを特徴とする制御プログラム。
【請求項１１】
請求項１０記載の制御プログラムを格納することを特徴とするコンピュータ読み取り可能な記憶媒体。
【発明の詳細な説明】
【技術分野】
【０００１】
本発明は、電子機器、電子機器の制御方法、制御プログラム、及び記憶媒体に関し、特に、ズームレンズなどの部品を駆動するアクチュエータを備える電子機器、電子機器の制御方法、制御プログラム、及び記憶媒体に関する。
【背景技術】
【０００２】
電子機器としては、ズームレンズなどの部品を電気的に駆動するアクチュエータを備えるディジタルビデオカメラ（ＤＶＣ）がある。ＤＶＣには、撮影した被写体の動画を音声と共に記録する記録媒体として、テープやディスクを用いるものと、メモリカード等の不揮発性メモリを用いるものとがある。前者は、テープやディスクがメモリカードよりも容量当たりのコストが極めて安価であるので運動会や発表会などの撮影に適しており、後者は、メモリカードがテープやディスクよりも最大容量が多いので長時間の撮影に適している。
【０００３】
ＤＶＣでは、動画と共に音声を記録するので、撮影中におけるズームレンズの駆動音や合焦動作の音や絞りの開閉動作の音などが騒音として記録される場合がある。このため、ＤＶＣなどの電子機器の開発現場では、これらの騒音の音圧レベルを低くするための検討を行うにあたり、通常は連動するズームレンズの駆動、絞りの開閉動作、及び合焦動作などの各騒音の音圧レベルを以下のように測定して各騒音を解析することが行われている。
【０００４】
各騒音の音圧レベルを測定するためには、まず、防音無響室内でＤＶＣにテープを装着して撮影を開始することにより、画像及び音声を記録する。
【０００５】
次に、ズームレンズのズーム動作による駆動音を記録するために、防音無響室外からリモコンを介してズーム操作を行う。続いて、合焦動作の音を記録するために、ＤＶＣのオートフォーカスモードをオンにした状態で、可動性を有する被写体をレンズの前で音が出ないように動かす。オートフォーカスモードをオフにした後、絞りの開閉動作の音を記録するために、黒い板などの遮光性を有する被写体をレンズの前でちらつかせることにより、レンズに入射する光量を変化させる。なお、防音無響室外からリモコンを介してＤＶＣや被写体を操作することができない場合には、防音無響室内に操作者が入り、音が出ないように操作を行う。この場合、操作者は、操作中に音が出ないように息を止め、且つ指の音が鳴らないように注意する必要がある。
【０００６】
これらの一連の動作を終了したところでテープへの記録を停止する。これらの各騒音を記録したテープを再生し、記録された音声の音圧レベルの変化から各騒音の音圧レベルの変化を測定する。また、記録された音声を周波数分析装置で周波数分析することにより、音圧レベルの高い音声の周波数から各騒音の原因（音源）を特定することができる。
【０００７】
また、ビデオカメラにおいて、ビデオカメラに設けられている撮像信号処理回路系の各部を調整するために必要な情報を着脱可能なカードに記憶するという提案がなされている（例えば、特許文献１参照。）。これにより、ユーザがビデオカメラの信号処理系や制御系の調整や切替えを行うことができる。
【特許文献１】特公平０５−０４４２３０号公報
【発明の開示】
【発明が解決しようとする課題】
【０００８】
しかしながら、上述したようなテープやディスクを記録媒体として用いるＤＶＣは、各騒音を記録するときに、テープやディスクを駆動するための駆動音（以下、「記録部駆動音」という）が重畳して記録される。このため、各騒音の音圧レベルの変化量を正確に測定することが困難である。また、周波数分析においても、記録部駆動音の周波数が各騒音の周波数に重畳するので音源の特定が困難である。
【０００９】
また、テープやディスクに代えてＤＶＣの外部に接続されたレコーダを記録媒体として用いて各騒音を記録することが可能であるが、通常の撮影で使用されることのないケーブル等を接続するためにＤＶＣのケーブルジャックの蓋を開ける必要があるので、記録すべき音声が開口部から漏洩する場合がある。
【００１０】
一方、テープ、ディスク、外部のレコーダなどに代えて、メモリカード等の不揮発性メモリを記録媒体として用いて各騒音を記録すると、記録部駆動音が記録されたり、記録すべき音声が開口部から漏洩したりすることを防止することができる。
【００１１】
しかしながら、上述したいずれの記録媒体を用いる電子機器であっても、上述したように防音無響室外で各騒音の音圧レベルを測定することは容易ではない。すなわち、通常の使用時と同じ状況で所定の部品に対応する騒音のみを自動的に取得することができない。
【００１２】
本発明の目的は、騒音を自動的に取得することができる電子機器、電子機器の制御方法、制御プログラム、及び記憶媒体を提供することにある。
【課題を解決するための手段】
【００１３】
上記目的を達成するために、本発明の電子機器は、アクチュエータによって駆動される少なくとも１つの所定の部品を備える電子機器において、音声を音声データとして取得する音声取得手段と、前記音声取得手段を介して取得した音声データから音声ファイルを作成する音声ファイル作成手段と、前記アクチュエータを所定のプログラムに従って作動させるアクチュエータ制御手段とを備え、前記音声ファイル作成手段は、前記アクチュエータが作動している間に前記音声ファイルを作成することを特徴とする。
【００１４】
上記目的を達成するために、本発明の電子機器の制御方法は、アクチュエータによって駆動される少なくとも１つの所定の部品を備える電子機器の制御方法において、音声を音声データとして取得する音声取得ステップと、前記音声取得ステップにおいて取得した音声データから音声ファイルを作成する音声ファイル作成ステップと、前記アクチュエータを所定のプログラムに従って作動させるアクチュエータ制御ステップとを有し、前記音声ファイル作成ステップでは、前記アクチュエータが作動している間に前記音声ファイルを作成することを特徴とする。
【００１５】
上記目的を達成するために、本発明の制御プログラムは、アクチュエータによって駆動される少なくとも１つの所定の部品を備える電子機器の制御方法をコンピュータに実行させるプログラムにおいて、音声を音声データとして取得する音声取得モジュールと、前記音声取得モジュールを介して取得した音声データから音声ファイルを作成する音声ファイル作成モジュールと、前記アクチュエータを所定のプログラムに従って作動させるアクチュエータ制御モジュールとを備え、前記音声ファイル作成モジュールは、前記アクチュエータが作動している間に前記音声ファイルを作成することを特徴とする。
【００１６】
上記目的を達成するために、本発明の記憶媒体は、上記制御プログラムを格納することを特徴とする。
【発明の効果】
【００１７】
本発明によれば、アクチュエータが所定のプログラムに従って作動している間に音声ファイルを記録するので、アクチュエータによって駆動される所定の部品の騒音を自動的に取得することができる。
【発明を実施するための最良の形態】
【００１８】
以下、本発明の実施の形態を図面を参照しながら詳細に説明する。
【００１９】
図１は、本発明の実施の形態に係る電子機器としてのディジタルビデオカメラ（ＤＶＣ）の構成を概略的に示すブロック図である。また、図１は、ＤＶＣの部分断面図である。
【００２０】
図１において、電子機器としてのＤＶＣ１００は、筐体１０１を備える。筐体１０１には、鏡筒１０２ａを備えるインナーフォーカス方式のズームレンズ部１０２と、鏡筒１０２ａの一端に固定されたＣＣＤ１０３と、マイク部１０４と、記録媒体としてのテープを脱着するためのテープデッキ部１０５と、記録媒体としてのメモリカードを脱着するためのカードスロット部１０６と、信号処理部１０７とが配設されている。また、信号処理部１０７とズームレンズ部１０２の間には、後述する変倍レンズ１０９を駆動するステッピングモータの駆動を制御するズーム制御部１１３と、後述する絞り１１０の開閉動作を制御する露光制御部１１４と、後述する焦点合わせレンズ１１２を駆動するステッピングモータの駆動を制御する測距制御部１１５とが配設されている。
【００２１】
ズームレンズ部１０２は、前玉レンズ１０８と、変倍レンズ１０９と、絞り１１０と、固定レンズ１１１と、焦点合わせレンズ１１２とを備える。前玉レンズ１０８及び固定レンズ１１１は、鏡筒１０２ａに固定されている。前玉レンズ１０８、変倍レンズ１０９、絞り１１０、固定レンズ１１１、焦点合わせレンズ１１２、及びＣＣＤ１０３は、鏡筒１０２ａ内部を通過する被写体からの光路に沿って順に配置されている。
【００２２】
変倍レンズ１０９は、ステッピングモータにより駆動され、前玉レンズ１０８及び固定レンズ１１１間において、即ちワイド端及びテレ端間において光路上を動く変倍動作を行う。前玉レンズ１０８及び固定レンズ１１１は、変倍レンズ１０９の変倍動作に応じて焦点距離を変えてズーミングを行う。焦点合わせレンズ１１２は、変倍レンズ１０９とは異なるステッピングモータにより駆動され、フォーカシング（合焦動作）を行う。また、変倍レンズ１０９及び焦点合わせレンズ１１２は、いわゆる電子カムに沿って駆動され、電気的な制御に基づいた連動をする。この連動により、変倍動作の際に発生する焦点ボケを補正することができる。
【００２３】
ＤＶＣ１００は、操作部又はリモコンを介して切替え可能な少なくとも２つの動作モードを有する。動作モードには、撮影モードと、レンズ音記録モードとがある。
【００２４】
撮影モードでは、ＤＶＣは、一般的なディジタルビデオカメラの動作と同様に、被写体の撮影を行う。具体的には、撮影対象の被写体からの光を画像としてズームレンズ部１０２を介して取り込み、取り込んだ画像をＣＣＤ１０３で光電変換することにより画像データとして取り込む。音声を、所定の音声符号化方式、例えばＰＣＭディジタル記録方式（量子化ビット数１６ｂｉｔ，サンプリング周波数４８ｋＨｚ）に従って音声データとしてマイク部１０４を介して取り込む。取り込んだ画像データ及び音声データは、信号処理部１０７により、テープデッキ部１０５に装着されたテープに記録される。
【００２５】
レンズ音記録モードでは、ＤＶＣ１００は、撮影モード時とは異なり、被写体の撮影を行うことなく、マイク部１０４を介して取り込んだ音声データをカードスロット部１０６に装着されたメモリカードに記録する。したがって、レンズ音記録モードでは、テープデッキ部１０５の駆動（記録動作）を停止することにより、テープデッキ部１０５に装着されたテープから発生する騒音や振動を記録することを防止することができる。
【００２６】
図２は、図１のＤＶＣ１００がレンズ音記録モードであるときの動作を示すフローチャートである。なお、本フローチャートに対応するプログラム（以下、「測定用プログラム」という）は、測定用のメモリカードに記録されている。この測定用のメモリカードはカードスロット部１０６に装着される。
【００２７】
図２において、まず、ステップＳ４０２では、ＤＶＣ１００は、レンズ音記録モードに切替えられると、マイク部１０４を介した音声の取り込みを開始する。
【００２８】
続くステップＳ４０３において、ズームレンズ部１０２内部の変倍レンズ１０９のみがワイド端からテレ端までの往路及びテレ端からワイド端までの復路において往復するように変倍動作（ズーム動作）を所定時間行う。このズーム動作を行うために、ズーム制御部１１３は、変倍レンズ１０９のステッピングモータを、図３に示すような速度モードＡで駆動するように制御する。図３に示すように、例えば往路では、ステッピングモータは、まず、段階的に、例えば２段階で加速され、その後、ステッピングモータの駆動パルスが所定の時間にわたって最高速度である速度Ａ（パルス／秒（ｐｐｓ））で駆動され、焦点距離がワイド端とテレ端の中間の付近からは、例えば約８０ｐｐｓずつ段階的に減速される。２段階で加速することにより、急激に駆動パルス数を最高速度にすることによるステッピングモータの脱調を防止することができる。
【００２９】
次に、ステップＳ４０４では、ステップＳ４０３の往復のズーム動作の間において、ステッピングモータが速度モードＡにおける速度Ａで駆動されている間に取り込んだ音声に対応する音声データの音圧レベルと予め設定されたしきい値とを比較することにより、音声データの音圧レベルがしきい値を上回っているか否かを判別する。しきい値と等しいか又はしきい値よりも下回っている場合は、速度Ａを所定量ｘだけ増大させることにより最高速度を増大させ（ステップＳ４０５）、ステップＳ４０３に戻って、最高速度を増大させた後の速度モードＡでのステッピングモータの駆動及び音声の取り込みを継続する。この所定量ｘは、ＤＶＣ１００及びズームレンズ部１０２の性能に応じて決定される定数であり、例えば１６０（ｐｐｓ）である。一方、しきい値を上回っている場合は、速度モードＡから、最高速度を所定量ｘだけ減少させた速度モードＢ（図４）に移行し（ステップＳ４０６）、ステッピングモータを駆動することによりズームレンズ部１０２内部の変倍レンズ１０９のみを所定時間駆動する（ステップＳ４０７）。図４に示すように、速度モードＢでは、最高速度である速度Ｂでステッピングモータを駆動している時間が速度モードＡよりも長い。これにより、ワイド端及びテレ端間の実質的に全範囲において最高速度で変倍レンズ１０９を駆動させることができる。
【００３０】
その後、ステップＳ４０８では、音声の取り込みを終了して、速度モードＢの間に取得した音声データから、拡張子が「ＷＡＶ」の音声ファイル（以下、「ＷＡＶファイル」という）を書き出す（作成する）と共に、書き出したＷＡＶファイルを測定用のメモリカードに記録する（ステップＳ４０９）。ステップＳ４０９のＷＡＶファイルの書き出しの際に、変倍レンズ１０９によるズーム動作及び速度モードＢの最高速度の少なくとも一方を表すようなファイル名をＷＡＶファイルに付与することが好ましい。例えば、ズーム動作を最高速度８００ｐｐｓで行った場合には「ZOOM-800pps.WAV」のようなファイル名が付与される。
【００３１】
ステップＳ４０２〜Ｓ４０９の処理によれば、変倍レンズ１０９が最高速度で駆動されているときに取り込んだ音声データの音圧レベルがしきい値を上回ったときに、最高速度を所定量ｘだけ減少させるので、騒音の音圧レベルを許容範囲内に収めることができる。また、変倍レンズ１０９を可能な限り長い時間にわたって最高速度でズーム動作を実行させることができる。
【００３２】
続くステップＳ４１１では、マイク部１０４を介した音声の取り込みを再度開始し、ズームレンズ部１０２内部の絞り１１０のみを任意の速度で所定の時間にわたって露光制御部１１４を介して駆動させることにより開閉動作を行う（ステップＳ４１１）。その後、ステップＳ４１２では、音声の取り込みを終了して、取得した音声データをＷＡＶファイルとして書き出すと共に、書き出したＷＡＶファイルを測定用のメモリカードに記録する（ステップＳ４１３）。ステップＳ４１３のＷＡＶファイルの書き出しの際に、絞り１１０の開閉動作を表すようなファイル名、例えば「IRIS.WAV」をＷＡＶファイルに付与することが好ましい。
【００３３】
続くステップＳ４１４では、マイク部１０４を介した音声の取り込みを再度開始し、ズームレンズ部１０２内部の焦点合わせレンズ１１２のみを任意の速度で所定の時間にわたって測距制御部１１５を介して駆動させることにより合焦動作を行う（ステップＳ４１５）。その後、ステップＳ４１６では、音声の取り込みを終了して、取得した音声データをＷＡＶファイルとして書き出すと共に、書き出したＷＡＶファイルを測定用のメモリカードに記録して（ステップＳ４１７）、ＤＶＣ１００は、レンズ音記録モードにおける動作を終了する。ステップＳ４１７のＷＡＶファイルの書き出しの際に、焦点合わせレンズ１１２の合焦動作を表すようなファイル名、例えば「FOCUS.WAV」をＷＡＶファイルに付与することが好ましい。
【００３４】
図２に示したように、レンズ音記録モードによれば、変倍レンズ１０９、焦点合わせレンズ１１２、絞り１１０などの各部品、並びに各部品に対応する制御部１１３，１１４，１１５が、それぞれ、測定用のメモリカードに記録されている測定用プログラムに従って動作している間に、各部品及びそのステッピングモータのみに対応する音声ファイルが測定用のメモリカードに記録される（ステップＳ４０２〜Ｓ４０９，ステップＳ４１０〜Ｓ４１３，ステップＳ４１４〜Ｓ４１７）。その結果、各部品の騒音のみを容易に、即ち通常の撮影モード時と同様の状況で自動的に取得することができると共に、テープデッキ部１０５に装着されたテープに音声ファイルを記録する必要をなくすことができる。さらには、撮影モードで使用されることのないケーブル等を接続するためにＤＶＣ１００のケーブルジャックの蓋（不図示）を開ける必要をなくすこともできる。
【００３５】
また、音声データからＷＡＶファイルのような非圧縮の汎用フォーマットの音声ファイルを書き出す（ステップＳ４０９，Ｓ４１３，Ｓ４１７）ので、該音声ファイルを容易に分析することができる。具体的には、パーソナルコンピュータ（ＰＣ）に提供された周波数分析ソフトを使用することにより該音声ファイルに対して周波数分析を行う。
【００３６】
該周波数分析の結果、例えば、ワイド端からテレ端までの往路においてその中間の付近から徐々に変倍レンズ１０９のズーム動作が減速している途中で、筐体１０１と変倍レンズ１０９若しくはそのステッピングモータ、又は鏡筒１０２ａとが共振する周波数（以下、「共振周波数」という）があった場合には、変倍レンズ１０９やステッピングモータが共振周波数で駆動しないように制御する。これにより、共振周波数に対応する高い音圧レベルの騒音の発生を確実になくすことができる。
【００３７】
さらには、測定用プログラムが測定用のメモリカードに記録されているので、市場にＤＶＣ１００を流通させる際には、該測定用のメモリカードを取り外すことができる。これにより、製品によって個体差のある共振周波数に対応する騒音の発生がないＤＶＣ１００を製品として出荷することができ、もって、ＤＶＣ１００に対するユーザの信頼性を向上させることができる。また、ユーザにとって不要な測定用プログラムをＤＶＣ１００に格納する必要をなくすことができるので、ＤＶＣ１００の単価を低下させることができる。さらには、測定用のメモリカードに記録した測定用プログラムを複数の製品に対して使用してもよい。
【００３８】
なお、信号処理部１０７がその記録領域（保存領域）が十分に広く、即ち記憶容量が十分に大きい場合には、信号処理部１０７に上記測定用プログラムの一部又は全部を記録してもよい。
【００３９】
なお、上記図２の処理において、ステップＳ４０５，Ｓ４０６における所定量ｘは、１６０（ｐｐｓ）であるとしたが、定数であればいかなる数値であってもよく、また、定数に代えて、可変な変数であってもよい。ｘが変数である場合には、所定のフィードバック回路を用いることにより、騒音の音圧レベルがしきい値を上回らないような速度モードＢにおける最高速度を決定する（ステップＳ４０４〜Ｓ４０６）。これにより、最高速度決定の精度をより向上させることができる。
【００４０】
また、上記ステップＳ４１４〜Ｓ４１７の合焦動作中の音声取り込み処理において、ステップＳ４０２〜Ｓ４０８のズーム動作の音声取り込み処理と同様に、合焦動作のためのステッピングモータの数種類の駆動速度（駆動パルス）をしきい値と比較して最高速度を決定してもよい。
【００４１】
また、図２において、ステップＳ４１０〜Ｓ４１３の絞り１１０の開閉動作中の音声取り込み処理と、ステップＳ４１４〜Ｓ４１７の合焦動作中の音声取り込み処理との実行順序を入れ替えてもよい。
【００４２】
なお、上記実施の形態では、音声ファイルを測定用のメモリカードに記録するとしたが、メモリカードに限られることはなく、記録時に駆動音が発生しないか又は該駆動音の音圧レベルが極めて低い記録媒体であればいかなるものであってもよい。また、ＤＶＣ１００がＢｌｕｅＴｏｏｔｈ等により外部機器と無線通信可能に構成されている場合には、図２の処理において書き出した音声ファイルをメモリカードに記録することなく外部機器の記録媒体に送信してもよい。また、ＤＶＣ１００は、複数のカードスロット部１０６を備えてもよく、この場合、測定用のメモリカードとは異なるメモリカードに音声ファイルを記録してもよい。
【００４３】
また、上記実施の形態において、ズームレンズ部１０２は、インナーフォーカス方式であるとしたが、これに限られることはない。また、前玉レンズ１０８、変倍レンズ１０９、固定レンズ１１１、及び焦点合わせレンズ１１２は、それぞれ、１つのレンズから構成されていてもよいし、複数のレンズから成る１つのレンズ群から構成されていてもよい。
【００４４】
また、上記実施の形態において、音声符号化方式は、ＰＣＭディジタル記録方式であるとしたが、これに限られることはない。
【００４５】
本実施の形態に係る電子機器は、ＤＶＣ１００であるとしたが、これに限られることはなく、制御部やステッピングモータなどのアクチュエータによって駆動される部品を備える電子機器であればいかなるものであってもよい。このような電子機器としては、ディスクカムコーダ、ディジタルスチルカメラ、携帯情報端末などを挙げることができる。特に、これらの電子機器が記録時に騒音及び振動の少なくとも一方を発生する記録媒体、例えばテープやディスクを備える場合に、本発明を適用することにより、該記録媒体に発生する騒音や振動を確実に防止することができる。
【００４６】
また、本発明の目的は、上述した実施の形態の機能を実現するソフトウエアのプログラムコードを記録した記憶媒体を、システム或いは装置に供給し、そのシステム或いは装置のコンピュータ（又はＣＰＵやＭＰＵなど）が記憶媒体に格納されたプログラムコードを読み出して実行することによっても達成される。
【００４７】
この場合、記憶媒体から読み出されたプログラムコード自体が上記実施の形態の機能を実現することになり、そのプログラムコード及び該プログラムコードを記憶した記憶媒体は本発明を構成することになる。
【００４８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷなどの光ディスク、磁気テープ、不揮発性のメモリカード、ＲＯＭなどを用いることができる。又は、プログラムコードをネットワークを介してダウンロードしてもよい。
【００４９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれる。
【００５０】
更に、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含まれる。
【産業上の利用可能性】
【００５１】
本発明の実施の形態に係る電子機器は、アクチュエータによって駆動される少なくとも１つの所定の部品を備える電子機器に適用することができる。
【図面の簡単な説明】
【００５２】
【図１】本発明の実施の形態に係る電子機器としてのディジタルビデオカメラ（ＤＶＣ）の構成を概略的に示すブロック図である。
【図２】図１のＤＶＣがレンズ音記録モードであるときの動作を示すフローチャートである。
【図３】図２のステップＳ４０３で駆動される変倍レンズの速度を説明するために用いられる図である。
【図４】図２のステップＳ４０７で駆動される変倍レンズの速度を説明するために用いられる図である。
【符号の説明】
【００５３】
１００  ディジタルビデオカメラ（ＤＶＣ）
１０１  筐体
１０２  ズームレンズ部
１０４  マイク部
１０５  テープデッキ部
１０６  カードスロット部
１０７  信号処理部
１０９  変倍レンズ
１１０  絞り
１１２  焦点合わせレンズ
１１３  ズーム制御部
１１４  露光制御部
１１５  測距制御部
【図１】
2007068130.tif 000003
【図２】
2007068130.tif 000004
【図３】
2007068130.tif 000005
【図４】
2007068130.tif 000006